【手続補正書】
【提出日】平成16年3月17日(2004.3.17)
【手続補正１】
【補正対象書類名】明細書
【補正対象項目名】特許請求の範囲
【補正方法】変更
【補正の内容】
【特許請求の範囲】
【請求項１】
所定の転送速度で転送される記録データを受取り、この受取られた記録データを光ディスク上に形成されたスパイラル状のトラックに対して記録する光ディスク装置において、
前記所定の転送速度で転送される記録データを記憶する記憶手段と、
この記憶手段に記憶された前記記録データを光ディスクに記録する記録手段と、
前記記録データを前記記憶手段から前記記録手段へ前記所定の転送速度の倍速以上の高速転送速度で転送する転送制御手段と、
を備えたことを特徴とする光ディスク装置。
【請求項２】
所定の転送速度で転送される記録データを受取り、この受取られた記録データを光ディスク上に形成されたスパイラル状のトラックに対して記録する光ディスク装置において、
前記所定の転送速度で転送される記録データを記憶する記憶手段と、
この記憶手段に記憶された前記記録データを所定の情報量の単位で光ディスクに記録するものであって、前記記憶手段に記憶された前記記録データのうちの、前記所定の情報量分のユニットデータを順に光ディスクに記録する記録手段と、
光ディスクに記録されているデータを再生する再生手段と、
前記記録手段により光ディスクに対して記録された所定のユニットデータを前記再生手段により再生し、この再生により得られる所定の再生データと、前記記憶手段に記憶されている前記記録データに含まれる前記所定のユニットデータとを比較して、前記記録手段による前記所定のユニットデータの記録内容を確認する確認手段と、
前記ユニットデータを含む前記記録データを前記記憶手段から前記記録手段へ前記所定の転送速度の倍速以上の高速転送速度で転送し、前記ユニットデータを含む前記記録データを前記記憶手段から前記確認手段へ前記高速転送速度で転送し、前記再生手段の再生により得られる再生データを前記再生手段から前記確認手段へ前記高速転送速度で転送する転送制御手段と、
を備えたことを特徴とする光ディスク装置。
【請求項３】
所定の転送速度で転送される記録データを受取り、この受取られた記録データを光ディスク上に形成されたスパイラル状のトラックに対して記録する光ディスク装置において、
前記所定の転送速度で転送される記録データを記憶する記憶手段と、
この記憶手段に記憶された前記記録データを所定の情報量の単位で光ディスクに記録するものであって、前記記憶手段に記憶された前記記録データのうちの、前記所定の情報量分のユニットデータを順に光ディスクに記録する記録手段と、
光ディスクに記録されているデータを再生する再生手段と、
前記記録手段により光ディスクに対して記録された所定のユニットデータを前記再生手段により再生し、この再生により得られる所定の再生データと、前記記憶手段に記憶されている前記記録データに含まれる前記所定のユニットデータとを比較して、前記記録手段による前記所定のユニットデータの記録内容を確認する確認手段と、
前記再生手段による前記所定のユニットデータの再生処理と並行して、この再生処理により得られる前記所定の再生データに基づく確認処理を前記確認手段に実行させる並行処理実行制御手段と、
前記ユニットデータを含む前記記録データを前記記憶手段から前記記録手段へ前記所定の転送速度の倍速以上の高速転送速度で転送し、前記ユニットデータを含む前記記録データを前記記憶手段から前記確認手段へ前記高速転送速度で転送し、前記再生手段の再生により得られる再生データを前記再生手段から前記確認手段へ前記高速転送速度で転送する転送制御手段と、
を備えたことを特徴とする光ディスク装置。
【請求項４】
所定の転送速度で転送される記録データを受取り、この受取られた記録データを光ディスク上に形成されたスパイラル状のトラックに対して記録する光ディスク装置において、
前記所定の転送速度で転送される記録データを記憶する記憶手段と、
この記憶手段に記憶された前記記録データを所定の情報量の単位で光ディスクに記録するものであって、前記記憶手段に記憶された前記記録データのうちの、前記所定の情報量分のユニットデータを順に光ディスクに記録する記録手段と、
光ディスクに記録されているデータを再生する再生手段と、
前記記録手段により光ディスクに対して記録された所定のユニットデータを前記再生手段により再生し、この再生により得られる所定の再生データと、前記記憶手段に記憶されている前記記録データに含まれる前記所定のユニットデータとを比較して、前記記録手段による前記所定のユニットデータの記録内容を確認する確認手段と、
前記確認手段による確認処理の結果、前記所定のユニットデータの記録内容に誤りがあることが判明したとき、この所定のユニットデータの再記録を前記記録手段に実行させる再記録実行制御手段と、
前記ユニットデータを含む前記記録データを前記記憶手段から前記記録手段へ前記所定の転送速度の倍速以上の高速転送速度で転送し、前記ユニットデータを含む前記記録データを前記記憶手段から前記確認手段へ前記高速転送速度で転送し、前記再生手段の再生により得られる再生データを前記再生手段から前記確認手段へ前記高速転送速度で転送する転送制御手段と、
を備えたことを特徴とする光ディスク装置。
【請求項５】
所定の転送速度で転送される記録データを受取り、この受取られた記録データを光ディスク上に形成されたスパイラル状のトラックに対して記録する光ディスク装置において、
前記所定の転送速度で転送される記録データを記憶する記憶手段と、
この記憶手段に記憶された前記記録データを所定の情報量の単位で光ディスクに記録するものであって、前記記憶手段に記憶された前記記録データのうちの、前記所定の情報量分の第１のユニットデータ、及びこの第１のユニットデータに続いて転送されてきた前記所定の情報量分の第２のユニットデータを順に光ディスクに記録する記録手段と、
光ディスクに記録されているデータを再生する再生手段と、
前記記録手段により光ディスクに対して記録された前記第１のユニットデータを前記再生手段により再生し、この再生により得られる第１の再生データと、前記記憶手段に記憶されている前記記録データに含まれる前記第１のユニットデータとを比較して、前記記録手段による前記第１のユニットデータの記録内容を確認し、前記記録手段により光ディスクに対して記録された前記第２のユニットデータを前記再生手段により再生し、この再生により得られる第２の再生データと、前記記憶手段に記憶されている前記記録データに含まれる前記第２のユニットデータとを比較して、前記記録手段による前記第２のユニットデータの記録内容を確認する確認手段と、
前記記憶手段に対する前記第１のユニットデータの記憶が完了したとき、この第１のユニットデータを前記記憶手段から前記記録手段へ前記所定の転送速度の倍速以上の高速転送速度で転送し、前記第１の再生データを前記再生手段から前記確認手段へ前記高速転送速度で転送するとともに、前記第１のユニットデータを前記記憶手段から前記確認手段へ前記高速転送速度で転送し、前記記憶手段に対する前記第２のユニットデータの記憶が完了したとき、この第２のユニットデータを前記記憶手段から前記記録手段へ前記高速転送速度で転送し、前記第２の再生データを前記再生手段から前記確認手段へ前記高速転送速度で転送するとともに、前記第２のユニットデータを前記記憶手段から前記確認手段へ前記高速転送速度で転送する転送制御手段と、
を備えたことを特徴とする光ディスク装置。
【請求項６】
所定の転送速度で転送されるデータを受取り、この受取られたデータを光ディスク上に形成されたスパイラル状のトラックに対して記録する光ディスク装置において、
前記所定の転送速度で転送されるデータに対して、エラー訂正符号を付加して記録データを生成し、この生成された記録データを前記所定の転送速度で出力する記録データ生成手段と、
この記録データ生成手段から前記所定の転送速度で転送される前記記録データを記憶する記憶手段と、
この記憶手段に記憶された前記記録データを所定の情報量の単位で光ディスクに記録するものであって、前記記憶手段に記憶された前記記録データのうちの、前記所定の情報量分のユニットデータを順に光ディスクに記録する記録手段と、
光ディスクに記録されているデータを再生する再生手段と、
前記記録手段により光ディスクに対して記録された所定のユニットデータを前記再生手段により再生し、この再生により得られる所定の再生データに含まれるエラー訂正符号に基づきエラー訂正処理を実行し、前記記録手段による前記所定のユニットデータの記録内容を確認する確認手段と、
前記ユニットデータを含む前記記録データを前記記憶手段から前記記録手段へ前記所定の転送速度の倍速以上の高速転送速度で転送し、前記ユニットデータを含む前記記録データを前記記憶手段から前記確認手段へ前記高速転送速度で転送し、前記再生手段の再生により得られる再生データを前記再生手段から前記確認手段へ前記高速転送速度で転送する転送制御手段と、
を備えたことを特徴とする光ディスク装置。
【請求項７】
所定の転送速度で転送されるデータを受取り、この受取られたデータを光ディスク上に形成されたスパイラル状のトラックに対して記録する光ディスク装置において、
前記所定の転送速度で転送されるデータに対して、エラー訂正符号を付加して記録データを生成し、この生成された記録データを前記所定の転送速度で出力する記録データ生成手段と、
この記録データ生成手段から前記所定の転送速度で転送される前記記録データを記憶する記憶手段と、
この記憶手段に記憶された前記記録データを所定の情報量の単位で光ディスクに記録するものであって、前記記憶手段に記憶された前記記録データのうちの、前記所定の情報量分のユニットデータを順に光ディスクに記録する記録手段と、
光ディスクに記録されているデータを再生する再生手段と、
前記記録手段により光ディスクに対して記録された所定のユニットデータを前記再生手段により再生し、この再生により得られる所定の再生データに含まれるエラー訂正符号に基づきエラー訂正処理を実行し、前記記録手段による前記所定のユニットデータの記録内容を確認する確認手段と、
前記再生手段による前記所定のユニットデータの再生処理と並行して、この再生処理により得られる前記所定の再生データに基づく確認処理を前記確認手段に実行させる並行処理実行制御手段と、
前記ユニットデータを含む前記記録データを前記記憶手段から前記記録手段へ前記所定の転送速度の倍速以上の高速転送速度で転送し、前記ユニットデータを含む前記記録データを前記記憶手段から前記確認手段へ前記高速転送速度で転送し、前記再生手段の再生により得られる再生データを前記再生手段から前記確認手段へ前記高速転送速度で転送する転送制御手段と、
を備えたことを特徴とする光ディスク装置。
【請求項８】
所定の転送速度で転送されるデータを受取り、この受取られたデータを光ディスク上に形成されたスパイラル状のトラックに対して記録する光ディスク装置において、
前記所定の転送速度で転送されるデータに対して、エラー訂正符号を付加して記録データを生成し、この生成された記録データを前記所定の転送速度で出力する記録データ生成手段と、
この記録データ生成手段から前記所定の転送速度で転送される前記記録データを記憶する記憶手段と、
この記憶手段に記憶された前記記録データを所定の情報量の単位で光ディスクに記録するものであって、前記記憶手段に記憶された前記記録データのうちの、前記所定の情報量分のユニットデータを順に光ディスクに記録する記録手段と、
光ディスクに記録されているデータを再生する再生手段と、
前記記録手段により光ディスクに対して記録された所定のユニットデータを前記再生手段により再生し、この再生により得られる所定の再生データに含まれるエラー訂正符号に基づきエラー訂正処理を実行し、前記記録手段による前記所定のユニットデータの記録内容を確認する確認手段と、
前記確認手段による確認処理の結果、前記所定のユニットデータの記録内容に誤りがあることが判明したとき、この所定のユニットデータの再記録を前記記録手段に実行させる再記録実行制御手段と、
前記ユニットデータを含む前記記録データを前記記憶手段から前記記録手段へ前記所定の転送速度の倍速以上の高速転送速度で転送し、前記ユニットデータを含む前記記録データを前記記憶手段から前記確認手段へ前記高速転送速度で転送し、前記再生手段の再生により得られる再生データを前記再生手段から前記確認手段へ前記高速転送速度で転送する転送制御手段と、
を備えたことを特徴とする光ディスク装置。
【請求項９】
所定の転送速度で転送されるデータを受取り、この受取られたデータを光ディスク上に形成されたスパイラル状のトラックに対して記録する光ディスク装置において、
前記所定の転送速度で転送されるデータに対して、エラー訂正符号を付加して記録データを生成し、この生成された記録データを前記所定の転送速度で出力する記録データ生成手段と、
この記録データ生成手段から前記所定の転送速度で転送される前記記録データを記憶する記憶手段と、
この記憶手段に記憶された前記記録データを所定の情報量の単位で光ディスクに記録するものであって、前記記憶手段に記憶された前記記録データのうちの、前記所定の情報量分の第１のユニットデータ、及びこの第１のユニットデータに続いて転送されてきた前記所定の情報量分の第２のユニットデータを順に光ディスクに記録する記録手段と、
光ディスクに記録されているデータを再生する再生手段と、
前記記録手段により光ディスクに対して記録された前記第１のユニットデータを前記再生手段により再生し、この再生により得られる第１の再生データに含まれるエラー訂正符号に基づきエラー訂正処理を実行し、前記記録手段による前記第１のユニットデータの記録内容を確認し、前記記録手段により光ディスクに対して記録された前記第２のユニットデータを前記再生手段により再生し、この再生により得られる第２の再生データに含まれるエラー訂正符号に基づきエラー訂正処理を実行し、前記記録手段による前記第２のユニットデータの記録内容を確認する確認手段と、
前記記憶手段に対する前記第１のユニットデータの記憶が完了したとき、この第１のユニットデータを前記記憶手段から前記記録手段へ前記所定の転送速度の倍速以上の高速転送速度で転送し、前記第１の再生データを前記再生手段から前記確認手段へ前記高速転送速度で転送するとともに、前記第１のユニットデータを前記記憶手段から前記確認手段へ前記高速転送速度で転送し、前記記憶手段に対する前記第２のユニットデータの記憶が完了したとき、この第２のユニットデータを前記記憶手段から前記記録手段へ前記高速転送速度で転送し、前記第２の再生データを前記再生手段から前記確認手段へ前記高速転送速度で転送するとともに、前記第２のユニットデータを前記記憶手段から前記確認手段へ前記高速転送速度で転送する転送制御手段と、
を備えたことを特徴とする光ディスク装置。